(57)【要約】【課題】外観を損ねることなく、他人に知られずにセキュリティ性を高める。【解決手段】複数の収納空間１を一面に並べて形成した本体ユニット２には、収納空間１の前面開口を開閉自在に閉塞する扉３０，３１が取り付けられている。扉３０には電気錠４が設けられている。制御部６において、記憶モード時に、特徴量抽出部は、マイクロホン５に向けて発話された入力音声の音声波形から特徴量を抽出する。記憶制御部は、抽出された特徴量（特定情報）を電気錠４に対応付けて記憶部に記憶する。その後、判定モード時に、特徴量抽出部は、マイクロホン５に向けて発話された入力音声の音声波形から特徴量（入力情報）を抽出する。判定部は、入力情報と各特定情報との類似度を計算し、入力音声の言葉及び話者が特定言葉及び特定話者であると判定すると、対応する電気錠４に対する開錠指示コマンドを電気錠制御部に送信する。電気錠制御部は電気錠４を開錠する。【選択図】図１
2010101024.tif 000002
【特許請求の範囲】
【請求項１】
前面に開口する複数の収納空間を一面に並べて形成した本体ユニットと、
前記複数の収納空間のうち少なくとも１つ以上の収納空間の前面開口をそれぞれが開閉自在に閉塞する１乃至複数の閉塞部材と、
前記１乃至複数の閉塞部材のうち少なくとも１つに対応付けて設けられた電気錠と、
音声が入力される音声入力部と、
前記音声入力部に入力された入力音声に対して音声認識を行い当該入力音声の言葉及び話者が予め電気錠に対応付けて登録された特定言葉及び特定話者であるか否かを判定する音声認識装置と、
前記入力音声の言葉及び話者が前記特定言葉及び前記特定話者であると前記音声認識装置で判定されると当該特定言葉及び当該特定話者に対応付けられた電気錠を施錠から開錠に切り替える電気錠制御部と
を備えることを特徴とする収納用什器。
【請求項２】
前記音声認識装置は、
前記特定言葉及び前記特定話者を前記電気錠に対応付けて記憶する記憶部と、
前記特定言葉及び前記特定話者を前記電気錠に対応付けて記憶する記憶モードと前記入力音声の言葉及び話者が前記特定言葉及び前記特定話者であるか否かを判定する判定モードとを選択するためのモード選択部と、
前記記憶モード時に前記音声入力部に入力された入力音声の言葉及び話者を前記特定言葉及び前記特定話者として前記電気錠に対応付けて前記記憶部に記憶させる記憶制御部と、
前記判定モード時に前記入力音声の言葉及び話者が前記記憶部の前記特定言葉及び前記特定話者であるか否かを判定する判定部と
を備えることを特徴とする請求項１記載の収納用什器。
【請求項３】
前記モード選択部は、前記複数の収納空間の何れかに収納されていることを特徴とする請求項２記載の収納用什器。
【請求項４】
前記音声入力部は、前記本体ユニットの前面に埋め込まれて設けられていることを特徴とする請求項１乃至３の何れか１項に記載の収納用什器。
【発明の詳細な説明】
【技術分野】
【０００１】
本発明は、複数の収納空間を有する収納用什器に関するものである。
【背景技術】
【０００２】
従来、複数の収納空間を有する収納用什器として、前面に開口する複数の収納空間を一面に形成した本体ユニットと、異なる収納空間の前面開口をそれぞれ開閉自在に閉塞する複数の扉とを備えるものが知られている（例えば、特許文献１参照。）。上記従来の収納用什器は、例えば宅内の壁面に沿ってあたかも壁面であるかのように設置され、各収納空間に物品を収納するという機能とともに、外観のデザインが重要視されるものである。
【特許文献１】特開２００４−２２９７５９号公報
【発明の開示】
【発明が解決しようとする課題】
【０００３】
ところで、上記従来の収納用什器に対して、収納空間のセキュリティ性を高めたいという要望がある。例えば他人が勝手に扉を開けて収納物を取り出すことが可能な場所（収納空間）には収納したくはなく、セキュリティ性の高い場所（収納空間）に収納したいという要望である。
【０００４】
上記の要望に応えるための方法として、収納空間の扉に鍵やダイヤル錠、ＩＤカード、指紋認証などを備えて扉の開錠を行う方法が考えられる。
【０００５】
しかしながら、上記の方法を用いた場合、収納空間のセキュリティ性を高めることができるものの、扉に形成された鍵孔、ダイヤル錠、ＩＤカードの記憶情報や指紋を読み取るためのリーダによって、収納用什器の外観を損ねてしまう。つまり、鍵やダイヤル錠を用いて扉を開錠する場合、鍵孔やダイヤル錠が前面側から見えてしまうためである。また、ＩＤカードや指紋認証を用いて扉を開錠する場合、リーダを前面に備えなければならないためである。
【０００６】
さらに、上記の方法を用いた場合、鍵孔やダイヤル錠、リーダの存在によって、セキュリティ性の高い収納空間の存在を他人に知られてしまうことになる。
【０００７】
本発明は上記の点に鑑みて為されたものであり、その目的は、外観を損ねることなく、他人に知られずにセキュリティ性を高めることができる収納用什器を提供することにある。
【課題を解決するための手段】
【０００８】
請求項１の発明は、前面に開口する複数の収納空間を一面に並べて形成した本体ユニットと、前記複数の収納空間のうち少なくとも１つ以上の異なる収納空間の前面開口をそれぞれが開閉自在に閉塞する１乃至複数の閉塞部材と、前記１乃至複数の閉塞部材のうち少なくとも１つに対応付けて設けられた電気錠と、音声が入力される音声入力部と、前記音声入力部に入力された入力音声に対して音声認識を行い当該入力音声の言葉及び話者が予め電気錠に対応付けて登録された特定言葉及び特定話者であるか否かを判定する音声認識装置と、前記入力音声の言葉及び話者が前記特定言葉及び前記特定話者であると前記音声認識装置で判定されると当該特定言葉及び当該特定話者に対応付けられた電気錠を施錠から開錠に切り替える電気錠制御部とを備えることを特徴とする。
【０００９】
請求項２の発明は、請求項１の発明において、前記音声認識装置は、前記特定言葉及び前記特定話者を前記電気錠に対応付けて記憶する記憶部と、前記特定言葉及び前記特定話者を前記電気錠に対応付けて記憶する記憶モードと前記入力音声の言葉及び話者が前記特定言葉及び前記特定話者であるか否かを判定する判定モードとを選択するためのモード選択部と、前記記憶モード時に前記音声入力部に入力された入力音声の言葉及び話者を前記特定言葉及び前記特定話者として前記電気錠に対応付けて前記記憶部に記憶させる記憶制御部と、前記判定モード時に前記入力音声の言葉及び話者が前記記憶部の前記特定言葉及び前記特定話者であるか否かを判定する判定部とを備えることを特徴とする。
【００１０】
請求項３の発明は、請求項２の発明において、前記モード選択部は、前記複数の収納空間の何れかに収納されていることを特徴とする。
【００１１】
請求項４の発明は、請求項１乃至３の何れか１項の発明において、前記音声入力部は、前記本体ユニットの前面に埋め込まれて設けられていることを特徴とする。
【発明の効果】
【００１２】
請求項１の発明によれば、電気錠の施錠・開錠で閉塞部材の開閉を行うことによって、鍵孔やダイヤル錠、ＩＤカードや指紋認証のリーダなどが不要であるため、鍵やダイヤル錠、ＩＤカードを用いた認証、指紋認証の場合に比べて、外観を損ねることがない。
【００１３】
また、請求項１の発明によれば、特定言葉及び特定話者を電気錠に対応付けて記憶することによって、言葉の一致と話者の一致との両方を満たす場合に電気錠を開錠することができるので、セキュリティ性を高めることができる。
【００１４】
請求項２の発明によれば、記憶モードと判定モードとの間で切り替えることができるので、特定言葉及び特定話者の記憶時に誤って電気錠を開錠させたり、電気錠を開錠させるときに、入力音声の言葉及び話者を誤って記憶部に記憶させたりするのを防止することができる。
【００１５】
請求項３の発明によれば、モード選択部が収納空間に収納されることによって、モード選択部を目立たなくすることができるので、モード選択部によって外観を損ねることがない。
【００１６】
請求項４の発明によれば、音声入力部が本体ユニットに埋め込まれて設けられることによって、音声入力部が閉塞部材などに設けられる場合に比べて、電気錠を有する閉塞部材であることを他人に対してわかりにくくさせることができる。
【発明を実施するための最良の形態】
【００１７】
まず、本発明の実施形態に係る収納用什器の構成について説明する。図１は、本実施形態に係る収納用什器の外観斜視図を示す。本実施形態の収納用什器は、例えば宅内の壁面に沿ってあたかも壁面であるかのように設置されるものであり、図１に示すように、前面に開口する複数（図１では１２個）の収納空間１，１・・・を一面に並べて形成した本体ユニット２と、異なる収納空間１の前面開口をそれぞれ開閉自在に閉塞する複数の扉３０・・・，３１・・・と、それぞれ扉３０に対応付けられて設けられた複数（図１では６個）の電気錠４，４・・・と、音声が入力される１つのマイクロホン５と、後述のように音声処理や電気錠４の制御などを行う制御部６とを備える。
【００１８】
本体ユニット２は、複数（図１では３つ）の単位ボックス２０，２１が組み合わされて構成されるものである。なお、本体ユニット２は、上記の構成に限定されず、１つの単位ボックスからなるものであってもよい。
【００１９】
各扉３０，３１は、収納空間１の前面開口を閉塞することができる大きさに形成されたものであり、丁番（図示せず）などを介して右辺が単位ボックス２０，２１に取り付けられ、右辺を軸にして左辺が回動自在となる。各扉３０，３１は、本発明の閉塞部材に相当する。なお、各扉３０，３１には、収納空間１の前面開口を開閉するときに用いられる把手部は設けられていない。その結果、扉３０，３１のデザインの自由度を広げることができるとともに、収納用什器の外観を損ねることがない。
【００２０】
各電気錠４は、単位ボックス２０に取り付けられた扉３０の左辺側に設けられ、後述の電気錠制御部６３による制御によって、扉３０と単位ボックス２０との間の施錠及び開錠が行われる。これに対して、単位ボックス２１に取り付けられた各扉３１には電気錠４が設けられていない。上記より、単位ボックス２０の収納空間１は、単位ボックス２１の収納空間１に比べて、セキュリティ性を高めることができる。
【００２１】
また、電気錠４が取り付けられた扉３０は、電気錠４が開錠したときに、右辺を軸にして左辺側が少し回動し、単位ボックス２０に対して左辺側が前方に突出する。これにより、何れの扉３０の電気錠４が開錠になったのかをユーザに知らせることができる。
【００２２】
マイクロホン５は、例えばピンタイプなどの小型マイクロホンであり、単位ボックス２０に埋め込まれて設けられている。本実施形態のようにマイクロホン５として小型マイクロホンを用いると、マイクロホン５を目立たなくすることができるので、マイクロホン５によって収納用什器の外観を損ねることがない。マイクロホン５は、本発明の音声入力部に相当する。なお、マイクロホン５の設置場所は、図１の場所に限定されず、単位ボックス２０の何れかの場所であればよい。ただし、マイクロホン５は、ユーザの発話をよく拾うことが可能な点で、単位ボックス２０の前方側に設けるのが好ましい。
【００２３】
制御部６は、図２に示すように、電気錠４ごとに上記電気錠４を開錠するための特定情報を対応付けて記憶する記憶部６０と、マイクロホン５に入力された入力音声の音声波形（入力音声波形）から特徴量を抽出する特徴量抽出部６１と、特徴量抽出部６１で抽出された特徴量である入力情報が特定情報の何れかに一致するか否かを判定する判定部６２と、各電気錠４の動作を制御する電気錠制御部６３と、特徴量抽出部６１で抽出された特徴量を特定情報として電気錠４に対応付けて記憶部６０に記憶させる記憶制御部６４と、後述の記憶モードと判定モードとを切り替えるように設定操作するためのモード選択部６５とを備える。
【００２４】
ここで、特定情報とは、電気錠４を開錠するために特定話者が発話した特定言葉（特定の単語、特定の文章など）を含む音声波形から抽出された特徴量をいう。
【００２５】
特徴量抽出部６１は、ケプストラム法や自己相関法などを用いることによって、入力音声波形から特徴量を抽出する。ケプストラム法を用いた場合、特徴量抽出部６１は、入力音声波形に対してＦＦＴを行った後に対数をとり、逆ＦＦＴを行うことによって、特徴量を抽出する。一方、自己相関法を用いた場合、特徴量抽出部６１は、入力音声波形の自己相関値を計算し、１周期の長さを求め、その逆数をとることで、特徴量を抽出する。なお、特徴量抽出部６１によって入力音声波形から特徴量を抽出する方法は、上記に限定されるものではなく、他の方法であってもよい。
【００２６】
判定部６２は、モード選択部６５で判定モードが選択された場合、特徴量抽出部６１で抽出された特徴量（入力情報）と記憶部６０の各特徴量（各特定情報）との類似度を例えばＤＰマッチングによって計算する。類似度を計算した判定部６２は、上記類似度が予め設定された閾値を超えるか否かを判定することによって、入力音声の言葉（単語、文章）及び話者が何れかの特定言葉及び特定話者であるか否かを判定する。具体的には、上記類似度が閾値を超える場合、入力音声の言葉及び話者が、上記類似度を計算する際に用いられた特徴量の特定言葉及び特定話者であると、判定部６２は判定する。上記のような判定を行った判定部６２は、閾値を超える類似度を計算する際に用いられた特徴量に対応付けられた電気錠４の開錠を指示する開錠指示コマンドを電気錠制御部６３に出力する。
【００２７】
電気錠制御部６３は、判定部６２から開錠指示コマンドが入力されると、上記開錠指示コマンドに対応する電気錠４を施錠から開錠に切り替える。つまり、電気錠制御部６３は、入力音声の言葉及び話者が特定言葉及び特定話者の何れかであると判定部６２で判定されると、上記特定話者が発話した音声波形から抽出された特徴量に対応付けられた電気錠４を施錠から開錠に切り替える。
【００２８】
記憶制御部６４は、モード選択部６５で記憶モードが選択された場合、電気錠４ごとに、マイクロホン５からの入力音声波形の特徴量を特定情報として上記電気錠４に対応付けて記憶部６０に記憶させる。
【００２９】
モード選択部６５は、例えば操作パネル（タッチパネルを含む）やスイッチなどであり、記憶モードと判定モードとを切り替えるように設定操作するためのものである。記憶モードとは、特徴量抽出部６１で抽出された特徴量を電気錠４に対応付けて記憶部６０に記憶させるモードである。一方、判定モードとは、特徴量抽出部６１で抽出された特徴量と記憶部６０の特徴量とを比較し、上記入力音声の言葉及び話者が特定言葉及び特定話者であるか否かを判定部６２が判定するモードである。モード選択部６５は、図１に示すように、特定の収納空間１０に収納されている。
【００３０】
なお、本実施形態において、記憶部６０、特徴量抽出部６１、判定部６２、記憶制御部６４及びモード選択部６５は、本発明の音声認識装置に相当し、記憶モード時に、マイクロホン５に入力された入力音声に対して音声認識を行い、上記入力音声の言葉及び話者が予め電気錠４に対応付けて記憶された特定言葉及び特定話者であるか否かを判定する。
【００３１】
次に、本実施形態に係る収納用什器の使用方法について説明する。最初に、特定情報の記憶について図３を用いて説明する。まず、ユーザによるモード選択部６５への設定操作によって記憶モードが選択される（図３のＳ１）。続いて、ユーザがマイクロホン５に向けて発話する（Ｓ２）。その後、特徴量抽出部６１は、発話された入力音声の音声波形から特徴量を抽出する（Ｓ３）。続いて、記憶制御部６４は、特徴量抽出部６１で抽出された特徴量を特定情報として電気錠４に対応付けて記憶部６０に記憶する（Ｓ４）。上記ステップ２〜４の動作を電気錠４ごとに行う。
【００３２】
続いて、電気錠４の開錠について図４を用いて説明する。まず、ユーザによるモード選択部６５への設定操作によって判定モードが選択される（図４のＳ１１）。続いて、ユーザは、特定情報の記憶時に発話した言葉をマイクロホン５に向けて発話する（Ｓ１２）。その後、特徴量抽出部６１は、発話された入力音声の音声波形から特徴量（入力情報）を抽出する（Ｓ１３）。続いて、判定部６２は、入力情報と記憶部６０の各特定情報との類似度を計算する（Ｓ１４）。その後、判定部６２は、入力音声の言葉及び話者が特定言葉及び特定話者であると判定すると、対応する電気錠４に対する開錠指示コマンドを電気錠制御部６３に送信する（Ｓ１５）。その後、電気錠制御部６３は電気錠４を開錠する（Ｓ１６）。
【００３３】
以上、本実施形態によれば、電気錠４の施錠・開錠で扉３０の開閉を行うことによって、鍵孔やダイヤル錠、ＩＤカードや指紋認証のリーダなどが不要であるため、鍵やダイヤル錠、ＩＤカード、指紋認証の場合に比べて、外観を損ねることがない。
【００３４】
また、本実施形態によれば、特定言葉及び特定話者を電気錠４ごとに対応付けて記憶することによって、言葉の一致と話者の一致との両方を満たす場合に電気錠４を開錠することができるので、セキュリティ性を高めることができる。
【００３５】
さらに、本実施形態によれば、記憶モードと判定モードとの間で切り替えることができるので、特定言葉及び特定話者の記憶時に誤って電気錠４を開錠させたり、電気錠４を開錠させるときに、入力音声の言葉及び話者を誤って記憶部６０に記憶させたりするのを防止することができる。
【００３６】
また、本実施形態によれば、モード選択部６５が収納空間１０に収納されることによって、モード選択部６５を目立たなくすることができるので、モード選択部６５によって外観を損ねることがない。
【００３７】
さらに、本実施形態によれば、マイクロホン５が単位ボックス２０に埋め込まれて設けられることによって、マイクロホン５が扉３０などに設けられる場合に比べて、電気錠４を有する扉３０であることを他人に対してわかりにくくさせることができる。
【００３８】
なお、本実施形態では、収納空間１の前面開口を開閉自在に閉塞する閉塞部材として扉３０，３１を備えるが、本実施形態の変形例として、上記扉３０，３１に代えて、引き出しを閉塞部材として備えてもよい。
【００３９】
また、本体ユニット２の構成は、本実施形態に限定されるものではなく、さまざまな組み合わせが考えられる。さらに、各単位ボックス２０，２１の形状も、本実施形態に限定されるものではない。
【００４０】
なお、本実施形態の収納用什器は、図１に示すように単位ボックス２０の全ての収納空間１に対して扉３０を備える構成であるが、本実施形態の変形例として、単位ボックス２０の収納空間１のうち少なくとも１つ以上の収納空間１に対して扉３０をそれぞれ備える収納用什器であってもよい。つまり、全ての収納空間１に対して必ずしも扉３０は必要ではなく、複数の収納空間のいくつかには扉３０が設けられ、残りの収納空間には扉３０が設けられていない構成である。単位ボックス２１の収納空間１に対する扉３１についても同様である。
【００４１】
また、本実施形態の収納用什器の変形例として、ユーザの存在を検知する検知部を備えてもよい。検知部は、例えばＰＩＲ（Passive Infrared Ray）センサや測距センサ、圧力センサなどである。この検知部でユーザが検知されたときに、マイクロホン５による音声入力が開始される。
【００４２】
このとき、マイクロホン５を複数備えてもよい。また、マイクロホン５ごとに検知部の検出条件を対応付けて用いてもよい。さらに、検知部によるユーザの距離に応じてマイクロホン５のゲインを変更するようにしてもよい。
【００４３】
なお、本実施形態の収納用什器は、特定話者での利用を前提とするものであるが、上記収納用什器の変形例として、不特定話者での利用を可能にする利用モードを有してもよい。
【００４４】
また、本実施形態の収納用什器の変形例として、登録された特定言葉を音声出力するスピーカを備えるものであってもよい。この構成によれば、特定言葉を設定したときに特定言葉が正常に登録されたか否かをユーザに確認させることができる。
【００４５】
本実施形態の収納用什器は、電気錠４ごとに特定言葉を１つずつ登録するものであるが、上記収納用什器の変形例として、１個の電気錠４に２つ以上（複数）の特定言葉を登録することが可能なものであってもよい。
【図面の簡単な説明】
【００４６】
【図１】本発明の実施形態に係る収納用什器の外観斜視図である。
【図２】同上に係る収納用什器の要部を示すブロック図である。
【図３】同上に係る収納用什器における特定情報の記憶に関する動作を示すフローチャートである。
【図４】同上に係る収納用什器における各扉の開錠動作を示すフローチャートである。
【符号の説明】
【００４７】
１  収納空間
２  本体ユニット
３０，３１  扉（閉塞部材）
４  電気錠
５  マイクロホン（音声入力部）
６  制御部
６０  記憶部
６１  特徴量抽出部
６２  判定部
６３  電気錠制御部
６４  記憶制御部
６５  モード選択部
【図１】
2010101024.tif 000003
【図２】
2010101024.tif 000004
【図３】
2010101024.tif 000005
【図４】
2010101024.tif 000006